(57)【特許請求の範囲】
【請求項１】
液体が収容される有底筒状の容器本体と、
該容器本体の口部に装着された装着筒部材と、
該装着筒部材に着脱自在に装着されたキャップ体と、
該キャップ体から前記容器本体内に向けて延設された棒状の塗布具と、
該塗布具が内側に挿通されたしごき筒部、および前記容器本体の口部内に液密状態で嵌合されたシール筒部を有するとともに、可撓性を有する軟質材で形成されたしごき部材と、を備える塗布具付容器であって、
前記装着筒部材は、容器本体の口部内に嵌合された内筒部、および容器本体の口部に外嵌された外筒部を備え、
前記しごき部材のシール筒部は、前記内筒部の下端部に外嵌されていて、該内筒部の下端部と容器本体の口部とにより径方向に挟み込まれていることを特徴とする塗布具付容器。
【請求項２】
請求項１記載の塗布具付容器であって、
前記しごき筒部は、前記シール筒部よりも上方に配設されるとともに、上方から下方に向かうに従い漸次縮径され、
前記しごき部材には、前記内筒部の下端縁を径方向に跨いで、前記シール筒部の下端と前記しごき筒部とを連結する連結筒部が備えられていることを特徴とする塗布具付容器。
【発明の詳細な説明】
【技術分野】
【０００１】
本発明は、塗布具付容器に関するものである。
【背景技術】
【０００２】
従来から、液体が収容される有底筒状の容器本体と、容器本体の口部に装着された装着筒部材と、装着筒部材に着脱自在に装着されたキャップ体と、キャップ体から容器本体内に向けて延設された棒状の塗布具と、塗布具が内側に挿通されたしごき筒部、および容器本体の口部内に液密状態で嵌合されたシール筒部を有するとともに、可撓性を有する軟質材で形成されたしごき部材と、を備える塗布具付容器が知られている。
近年では、容器本体内の液密性を確保するために、例えば下記特許文献１に示されるように、装着筒部材の下端部が、しごき部材のシール筒部内に、該シール筒部を容器本体の口部との間で径方向に圧縮変形させた状態で嵌合された塗布具付容器が提供されている。
【先行技術文献】
【特許文献】
【０００３】
【特許文献１】特開２００７−３０７３１０号公報
【発明の概要】
【発明が解決しようとする課題】
【０００４】
しかしながら、前記従来の塗布具付容器では、例えばキャップ体を装着筒部材に着脱する等のためにキャップ体に加えた力が、装着筒部材を介してしごき部材のシール筒部に伝わり、このシール筒部が弾性変形することにより、キャップ体が、装着筒部材とともに容器本体に対してぐらつき易いという問題があった。
【０００５】
本発明は、このような事情を考慮してなされたもので、シール筒部による容器本体内の液密性を維持しつつ、装着筒部材が容器本体に対してぐらつくのを抑制することができる塗布具付容器を提供することを目的とする。
【課題を解決するための手段】
【０００６】
上記課題を解決して、このような目的を達成するために、本発明の塗布具付容器は、液体が収容される有底筒状の容器本体と、該容器本体の口部に装着された装着筒部材と、該装着筒部材に着脱自在に装着されたキャップ体と、該キャップ体から前記容器本体内に向けて延設された棒状の塗布具と、該塗布具が内側に挿通されたしごき筒部、および前記容器本体の口部内に液密状態で嵌合されたシール筒部を有するとともに、可撓性を有する軟質材で形成されたしごき部材と、を備える塗布具付容器であって、前記装着筒部材は、容器本体の口部内に嵌合された内筒部、および容器本体の口部に外嵌された外筒部を備え、前記しごき部材のシール筒部は、前記内筒部の下端部に外嵌されていて、該内筒部の下端部と容器本体の口部とにより径方向に挟み込まれていることを特徴とする。
【０００７】
本発明によれば、装着筒部材が内筒部および外筒部を備えているので、これらの両筒部により容器本体の口部を径方向の外側と内側とから挟み込むことが可能になり、装着筒部材を容器本体の口部に直接支持させることができる。したがって、キャップ体に加えた力によって、キャップ体が装着筒部材とともに容器本体に対してぐらつくのを抑制することができる。
また、しごき部材のシール筒部が、装着筒部材の内筒部の下端部に外嵌されていて、この内筒部の下端部と容器本体の口部とにより径方向に挟み込まれているので、装着筒部材の内筒部と容器本体の口部との間の液密性を確保することができる。
【０００８】
ここで、前記しごき筒部は、前記シール筒部よりも上方に配設されるとともに、上方から下方に向かうに従い漸次縮径され、前記しごき部材には、前記内筒部の下端縁を径方向に跨いで、前記シール筒部の下端と前記しごき筒部とを連結する連結筒部が備えられてもよい。
【０００９】
この場合、しごき筒部がシール筒部よりも上方に配設されるとともに、連結筒部が内筒部の下端縁を径方向に跨いでいるので、塗布具をしごき筒部でしごきながら容器本体内から抜き出すときに、塗布具からしごき部材に伝わる引き上げ力を、内筒部の下端縁で受け止めさせることが可能になり、しごき部材が容器本体から引き出されるのを抑制することができる。
【発明の効果】
【００１０】
本発明によれば、シール筒部による容器本体内の液密性を維持しつつ、装着筒部材が容器本体に対してぐらつくのを抑制することができる。
【図面の簡単な説明】
【００１１】
【図１】本発明に係る一実施形態として示した塗布具付容器の要部縦断面図である。
【図２】図１のＡ部拡大図である。
【発明を実施するための形態】
【００１２】
以下、図面を参照し、本発明の実施の形態について説明する。
本実施形態に係る塗布具付容器１は、図１および図２に示されるように、液体が収容される有底筒状の容器本体１０と、容器本体１０の口部１１に装着された装着筒部材２０と、装着筒部材２０に着脱自在に装着されたキャップ体３０と、キャップ体３０から容器本体１０内に向けて延設された棒状の塗布具４０と、塗布具４０が内側に挿通されたしごき筒部５１、および容器本体１０の口部１１内に液密状態で嵌合されたシール筒部５２を有するとともに、可撓性を有する軟質材で形成されたしごき部材５０と、を備えている。
【００１３】
ここで、容器本体１０、装着筒部材２０、キャップ体３０、塗布具４０、しごき筒部５１およびシール筒部５２はそれぞれ、共通軸と同軸に配置されている。以下、この共通軸を容器軸Ｏといい、この容器軸Ｏ方向に沿ってキャップ体３０側を上側、容器本体１０の底部１２側を下側といい、容器軸Ｏに直交する方向を径方向といい、容器軸Ｏを中心に周回する方向を周方向という。
なお、容器本体１０に収容される液体としては、例えば化粧液、薬液、接着液、および洗浄液等が挙げられる。これらのうち化粧液としては、例えばマスカラやアイライナー、リップグロス等が挙げられる。
【００１４】
容器本体１０は、口部１１、胴部１３および底部１２が上方から下方に向けてこの順に連設されてなる有底筒状体とされ、例えば合成樹脂材料等で一体に形成されている。
口部１１は、胴部１３よりも薄肉に形成され、内径が胴部１３の内径と同等で、外径が胴部１３の外径よりも小さくなっている。口部１１の上部には、容器軸Ｏ方向に沿って延在する縦溝１１ａが周方向に間隔をあけて複数形成されている。
【００１５】
装着筒部材２０は、容器本体１０の口部１１よりも上方に位置する上部２１と、容器本体１０の口部１１に装着される下部２２と、を備えている。
装着筒部材２０の上部２１には、キャップ体３０の後述する雌ねじ部が螺合する雄ねじ部が形成されている。
装着筒部材２０の下部２２は、容器本体１０の口部１１内に嵌合された内筒部２３、および容器本体１０の口部１１に外嵌された外筒部２４を備えている。
【００１６】
外筒部２４の上部における内周面には、容器軸Ｏ方向に沿って延在する第１リブ２４ａが周方向に間隔をあけて複数突設されている。これらの第１リブ２４ａが前記口部１１の縦溝１１ａに各別に係合することにより、装着筒部材２０および容器本体１０の相対的な容器軸Ｏ回りの回転移動が規制されている。なお、外筒部２４の下端部は、容器本体１０の口部１１の下端部にアンダーカット嵌合している。
内筒部２３の上部における外周面には、容器軸Ｏ方向に沿って延在する第２リブ２３ａが周方向に間隔をあけて複数突設されている。これらの第２リブ２３ａが、容器本体１０の口部１１内に嵌合されている。内筒部２３の内径は、装着筒部材２０の上部２１の内径と同等とされ、内筒部２３の内周面と、装着筒部材２０の上部２１の内周面と、は段差なく滑らかに連なっている。
【００１７】
キャップ体３０は、有頂筒状に形成され、その周壁部３１の内周面に、装着筒部材２０の上部２１に形成された雄ねじ部が螺合する雌ねじ部が形成されている。なお、キャップ体３０の下端縁は、装着筒部材２０の外筒部２４の上端縁と容器軸Ｏ方向に対向している。
塗布具４０は、容器軸Ｏ方向に沿って延びる棒状の本体部４１と、本体部４１の下端部に設けられた塗布部４２と、本体部４１の上端に上方に向けて延設された筒状の被固着部４３と、を備えている。
【００１８】
塗布部４２としては、例えば筆状、ブラシ状およびスポンジ状等が挙げられる。図示の例では、塗布部４２は、本体部４１の下端部に下方に向けて延設された多数本の毛材により構成された筆状となっている。被固着部４３は、本体部４１の上端に接続された小径部４３ａと、小径部４３ａよりも上方に配置された大径部４３ｂと、小径部４３ａの上端と大径部４３ｂの下端とを接続するフランジ部４３ｃと、を備えている。被固着部４３の大径部４３ｂが、キャップ体３０の周壁部３１内において前記雌ねじ部よりも上方に位置する部分に嵌合されている。
【００１９】
ここで、被固着部４３には、小径部４３ａに外嵌された筒体６１、および筒体６１の上端に径方向の外側に向けて突設されたフランジ状のシール板６２を有するパッキン部材６０が装着されている。パッキン部材６０のシール板６２が、装着筒部材２０の上端縁と、被固着部４３のフランジ部４３ｃと、により容器軸Ｏ方向に挟み込まれることで、これらの間の液密性が確保されている。
【００２０】
しごき部材５０は、前記しごき筒部５１と、しごき筒部５１よりも下方に配設された前記シール筒部５２と、これらの両筒部５１、５２を連結する連結筒部５３と、を備えている。
しごき筒部５１は、装着筒部材２０の上部２１内に配置され、シール筒部５２よりも径方向の内側に位置している。また、しごき筒部５１は、上方から下方に向かうに従い漸次縮径された円筒状に形成されている。なおしごき筒部５１に、容器本体１０の内圧を調整するための貫通孔若しくはスリットを形成してもよい。
【００２１】
そして本実施形態では、シール筒部５２は、装着筒部材２０の内筒部２３の下端部に外嵌されていて、この内筒部２３の下端部と容器本体１０の口部１１とにより径方向に挟み込まれている。図示の例では、内筒部２３の下端部の外周面には、下方に向けて開口する周溝２３ｂが全周にわたって形成されており、この周溝２３ｂ内にシール筒部５２が配設されている。なお、シール筒部５２は、装着筒部材２０の内筒部２３と容器本体１０の口部１１とにより径方向に挟み込まれて径方向に圧縮変形され、また、内筒部２３に形成された複数の第２リブ２３ａは、容器本体１０の口部１１の内周面に当接している。
【００２２】
連結筒部５３は、装着筒部材２０の内筒部２３の下端縁を径方向に跨いで、シール筒部５２の下端としごき筒部５１の上端とを連結している。ここで、装着筒部材２０の上端部には、径方向の内側に向けて支持突起２５が全周にわたって突設されており、この支持突起２５により連結筒部５３の上端部が上方から支持されている。また、連結筒部５３は、装着筒部材２０のうち上部２１内および内筒部２３内に嵌合されている。さらに、しごき筒部５１は、支持突起２５の内周面よりも径方向の内側に突出している。
【００２３】
そして、以上のしごき筒部５１、シール筒部５２および連結筒部５３を備えるしごき部材５０は、同一の材質により一体に形成されている。このしごき部材５０を形成する材質は、容器本体１０、装着筒部材２０、キャップ体３０および塗布具４０の本体部４１を形成する材質よりも柔軟な可撓性を有する軟質材により形成されている。このような軟質材として、例えば、ニトリルゴム（ＮＢＲ）、低密度ポリエチレン（ＬＤＰＥ）、直鎖状低密度ポリエチレン（ＬＬＤＰＥ）、および熱可塑性エラストマー等が挙げられる。
【００２４】
以上の構成において、キャップ体３０を容器本体１０および装着筒部材２０に対して容器軸Ｏ回りに回転させ、キャップ体３０をパッキン部材６０とともに装着筒部材２０から離脱させながら、塗布具４０を容器本体１０内から抜き出す過程で、塗布具４０の本体部４１を、しごき筒部５１内を通過させることによって、塗布具４０の本体部４１に付着した余分な液体をしごき筒部５１によりしごき落とす。なおこの際、塗布部４２に付着した余分な液体もしごき筒部５１によりしごき落としてもよい。そして、容器本体１０から抜き出された塗布具４０の塗布部４２を被塗布部に摺接させ、塗布部４２に付着している液体を被塗布部に塗布する。
【００２５】
以上説明したように、本実施形態による塗布具付容器１によれば、装着筒部材２０が内筒部２３および外筒部２４を備えているので、これらの両筒部２３、２４により容器本体１０の口部１１を径方向の外側と内側とから挟み込むことが可能になり、装着筒部材２０を容器本体１０の口部１１に直接支持させることができる。したがって、キャップ体３０に加えた力によって、キャップ体３０が装着筒部材２０とともに容器本体１０に対してぐらつくのを抑制することができる。
また、しごき部材５０のシール筒部５２が、装着筒部材２０の内筒部２３の下端部に外嵌されていて、この内筒部２３の下端部と容器本体１０の口部１１とにより径方向に挟み込まれているので、装着筒部材２０の内筒部２３と容器本体１０の口部１１との間の液密性を確保することができる。
【００２６】
さらに、しごき部材５０のしごき筒部５１がシール筒部５２よりも上方に配設されるとともに、連結筒部５３が内筒部２３の下端縁を径方向に跨いでいるので、塗布具４０をしごき筒部５１でしごきながら容器本体１０内から抜き出すときに、塗布具４０からしごき部材５０に伝わる引き上げ力を、内筒部２３の下端縁で受け止めさせることが可能になり、しごき部材５０が容器本体１０から引き出されるのを抑制することができる。
【００２７】
なお、本発明の技術的範囲は前記実施の形態に限定されるものではなく、本発明の趣旨を逸脱しない範囲において種々の変更を加えることが可能である。
【００２８】
例えば、前記実施形態では、内筒部２３に第２リブ２３ａを設け、またパッキン部材６０を配設したが、これらの第２リブ２３ａ、およびパッキン部材６０は設けなくてもよい。
【００２９】
その他、本発明の趣旨を逸脱しない範囲で、上記した実施の形態における構成要素を周知の構成要素に置き換えることは適宜可能であり、また、上記した変形例を適宜組み合わせてもよい。
【産業上の利用可能性】
【００３０】
シール筒部による容器本体内の液密性を維持しつつ、装着筒部材が容器本体に対してぐらつくのを抑制することができる。
【符号の説明】
【００３１】
１  塗布具付容器
１０  容器本体
１１  口部
２０  装着筒部材
２３  内筒部
２４  外筒部
３０  キャップ体
４０  塗布具
５０  しごき部材
５１  しごき筒部
５２  シール筒部
５３  連結筒部
【図１】
0005409266.tif 000002
【図２】
0005409266.tif 000003